(57)【要約】【課題】製造工程を簡略化でき、製造コストの低減を図ることのできる、コンクリートスラブおよびその製造方法を提供すること。【解決手段】コンクリートスラブ１の施工において、予め補助筋８に接着剤を介して連結されている複数の充填体７からなる充填部材３を用意し、各横上筋２ｂの間に位置して挟まれるように、かつ、充填部材３の補助筋８における各充填体７の受部１１を連結する部分との間の途中１２が、側面視において、各縦上筋２ａの上方に位置して跨ぐように、充填部材３を配置する。その後、充填部材３を降下させて、複数の充填体７を、小空間６に、一度に配置する。これにより、複数の充填体７を、小空間６に一度に配置する。その後、補助筋８の途中１２を各縦上筋２ａと結束して、充填部材３を小空間６に固定した状態で配置する。次いで、型枠５にコンクリート４を打設し、型枠５を外すことにより、コンクリートスラブ１を施工する。【選択図】図４
2007146550.tif 000002
【特許請求の範囲】
【請求項１】
碁盤目状に配置された下筋と、前記下筋の上方に配置され、前記下筋の碁盤目状と上下方向において対向する碁盤目状に配置された上筋と、上下方向において対向する下側の目と上側の目とにより区画される小空間に埋設されるように配置される複数の充填体とを備え、
各前記充填体は、予め連結部材に対して接着剤を介してそれぞれ連結されていることを特徴とする、コンクリートスラブ。
【請求項２】
前記連結部材は、少なくとも２本の長尺形状の補助筋から形成されており、一方向に配列された複数の充填体を、各充填体の上端部において前記接着剤を介して連結することを特徴とする、請求項１に記載のコンクリートスラブ。
【請求項３】
碁盤目状に下筋を配置し、前記下筋の上方に、前記下筋の碁盤目状と上下方向において対向する碁盤目状に上筋を配置する工程、
予め連結部材に接着剤を介して連結されている複数の充填体を用意する工程、および、
用意された複数の前記充填体を、上下方向において対向する下側の目と上側の目とにより区画される小空間に、一度に配置する工程
を備えていることを特徴とする、コンクリートスラブの製造方法。
【請求項４】
予め連結部材に接着剤を介して連結されている複数の充填体を用意する工程において、前記連結部材は、少なくとも２本の長尺形状の補助筋から形成されており、一方向に配列された複数の前記充填体を、各前記充填体の上端部において前記接着剤を介してそれぞれ連結することを特徴とする、請求項３に記載のコンクリートスラブの製造方法。
【発明の詳細な説明】
【技術分野】
【０００１】
本発明は、コンクリートスラブおよびその製造方法、詳しくは、コンクリートスラブ内の小空間に複数の充填体が埋設されているコンクリートスラブおよびその製造方法に関する。
【背景技術】
【０００２】
コンクリートスラブには、通常、その内部に埋設物が埋め込まれている。この埋設物としては、一般に、発泡ポリスチロールなどの発泡樹脂成形品が用いられており、これらの埋設物をコンクリートスラブの内部に埋め込むことで、コンクリートの使用量を変えずに厚さを増して強度を上げたり、軽量化やコスト削減を図ったりすることができる。
具体的な構造としては、コンクリートスラブは、例えば、碁盤目状に配置された下筋と、下筋の上方に、下筋の碁盤目状と上下方向において対向する碁盤目状に配置された上筋とを備えており、これにより、碁盤目状の下側の目と、下側の目と対向する上側の目とにより区画される小空間が形成されている。そして、各小空間に埋設物が埋設されている（この埋設物は、小空間を充填する役割を果たすので、以下「充填体」と称する）。
【０００３】
ところで、充填体は、上記したように、発泡樹脂成形品であるため、コンクリート打設時に充填体が浮き上がり、その位置が固定されないということが生じ得る。その結果、充填体の位置が偏ったり、不規則であったりすると、コンクリートスラブ全体として、不安定な構造となったり、強度が低下したりする。
そのため、例えば、下端主筋および各下端主筋の間に配置される下補助筋と、上端主筋および各上端主筋の間に配置される上補助筋とを備え、下端主筋および上端主筋により仕切られた空間内に、充填体を配置し、その後、充填体の上面に取り付けられた掛止具を上補助筋に掛止し、充填体の下面に形成された凹条を下補助筋に嵌設することにより、充填体を定位置に固定するコンクリートスラブが提案されている（例えば、特許文献１参照）。
【特許文献１】特開２００２−２６６４５７号公報
【発明の開示】
【発明が解決しようとする課題】
【０００４】
しかし、特許文献１に記載されるコンクリートスラブでは、充填体の上記空間内への配置と、充填体の上補助筋および下補助筋への固定とを、別工程としているため、コンクリートスラブを施工するのに手間や時間がかかるので、製造コストが上昇し、製造工程が複雑化するという不具合がある。
また、特許文献１に記載されるコンクリートスラブでは、充填体を上補助筋に支持させるために、別途、充填体に掛止具を設ける必要があり、製造コストが上昇するという不具合がある。
【０００５】
本発明の目的は、製造工程を簡略化でき、製造コストの低減を図ることのできる、コンクリートスラブおよびその製造方法を提供することにある。
【課題を解決するための手段】
【０００６】
上記目的を達成するために、本発明のコンクリートスラブは、碁盤目状に配置された下筋と、前記下筋の上方に配置され、前記下筋の碁盤目状と上下方向において対向する碁盤目状に配置された上筋と、上下方向において対向する下側の目と上側の目とにより区画される小空間に埋設されるように配置される複数の充填体とを備え、各前記充填体は、予め連結部材に対して接着剤を介してそれぞれ連結されていることを特徴としている。
【０００７】
このコンクリートスラブでは、各充填体が、予め連結部材に対して接着剤を介してそれぞれ連結されているので、一度に複数の充填体を各小空間に配置することができる。そのため、製造工程を簡略化でき、製造コストを低減することができる。
また、本発明のコンクリートスラブでは、前記連結部材は、少なくとも２本の長尺形状の補助筋から形成されており、一方向に配列された複数の充填体を、各充填体の上端部において前記接着剤を介して連結することが好適である。
【０００８】
このコンクリートスラブによれば、連結部材は、少なくとも２本の長尺形状の補助筋から形成されているので、各充填体を各小空間において安定して配置し、固定させることができる。
また、連結部材は、一方向に配列された複数の充填体を、各充填体の上端部において接着剤を介して連結する。そのため、連結部材を上筋に係合すれば、その後、作業者が、足場として上筋や連結部材に乗りながら作業しても、充填体に接触しにくくなるので、充填体が連結部材から脱離しにくくなる。一方、たとえ、作業者が充填体に接触しても、各充填体が予め接着剤を介してそれぞれ連結されているので、充填体が連結部材から脱落しにくくなる。その結果、確実に充填体を所定位置に固定できながら、作業効率を向上することができる。
【０００９】
また、本発明のコンクリートスラブの製造方法は、碁盤目状に下筋を配置し、前記下筋の上方に、前記下筋の碁盤目状と上下方向において対向する碁盤目状に上筋を配置する工程、予め連結部材に接着剤を介して連結されている複数の充填体を用意する工程、および、用意された複数の前記充填体を、上下方向において対向する下側の目と上側の目とにより区画される小空間に、一度に配置する工程を備えていることを特徴としている。
【００１０】
このコンクリートスラブの製造方法では、予め連結部材に接着剤を介して連結されている複数の充填体を、上下方向において対向する下側の目と上側の目とにより区画される小空間に、一度に配置する。そのため、製造工程を簡略化でき、製造コストを低減することができる。
また、本発明のコンクリートスラブの製造方法では、予め連結部材に接着剤を介して連結されている複数の充填体を用意する工程において、前記連結部材は、少なくとも２本の長尺形状の補助筋から形成されており、一方向に配列された複数の前記充填体を、各前記充填体の上端部において前記接着剤を介してそれぞれ連結することが好適である。
【００１１】
このコンクリートスラブの製造方法によれば、連結部材は、少なくとも２本の長尺形状の補助筋から形成されているので、各充填体を各小空間において安定して配置し、固定することができる。
また、連結部材は、一方向に配列された複数の充填体を、各充填体の上端部において接着剤を介してそれぞれ連結する。そのため、連結部材を上筋に係合すれば、その後、作業者が、足場として上筋や連結部材に乗りながら作業しても、充填体に接触しにくくなるので、充填体が連結部材から脱離しにくくなる。一方、たとえ、作業者が充填体に接触しても、各充填体が予め接着剤を介してそれぞれ連結されているので、充填体が連結部材から脱落しにくくなる。その結果、確実に充填体を所定位置に固定できながら、作業効率の向上を図ることができる。
【発明の効果】
【００１２】
本発明のコンクリートスラブおよびその製造方法によれば、製造工程を簡略化でき、製造コストを低減することができる。
【発明を実施するための最良の形態】
【００１３】
図１は、本発明のコンクリートスラブの一実施形態を一部切り欠いて示す斜視図である。
図１において、このコンクリートスラブ１は、所定方向に配置された複数の鉄筋２と、鉄筋２に係止（結束）されている複数の充填部材３と、鉄筋２と充填部材３との隙間に打設されたコンクリート４とを備えている。
【００１４】
コンクリートスラブ１は、所定厚さを有し、同一平面上に拡がる板状の部材であり、いわゆる鉄筋コンクリートの面構造である。具体的な利用方法としては、コンクリートスラブ１は、おもに鉛直荷重を支えるために用いられ、例えば、建築物の床として用いられる。また、コンクリートスラブ１は、その内部に充填部材３が埋設されているので、コンクリート４の含有率が少なく、コスト削減や軽量化などが達成される。
【００１５】
図２は、鉄筋を示す斜視図である。
鉄筋２は、図２に示すように、上筋としての複数の縦上筋２ａおよび横上筋２ｂと、下筋としての複数の縦下筋２ｃおよび横下筋２ｄとから形成されている。この鉄筋２（縦上筋２ａ、横上筋２ｂ、縦下筋２ｃおよび横下筋２ｄ）は、後述するコンクリートスラブ１の施工において、略矩形状の型枠５内に配置される。
【００１６】
具体的には、型枠５は、上下方向に立設された縦板２０および横板２１から形成されている。そして、複数の縦上筋２ａが、縦板２０と平行を保つようにして、所定間隔ごとに型枠５内に配置される。また、複数の横上筋２ｂが、横板２１と平行を保つようにして、所定間隔ごとに型枠５内に配置されている。
この状態で、縦上筋２ａおよび横上筋２ｂは、型枠５内の上方の同一水平面上に位置しており、縦上筋２ａおよび横上筋２ｂは、その接触部分が結束される（図示せず）ことで互いに固定されている。そして、その水平面上において、縦上筋２ａおよび横上筋２ｂは、碁盤目状に配置されている。
【００１７】
また、各縦上筋２ａの所定寸法下方には、各縦上筋２ａと平行を保つようにして、各縦下筋２ｃが配置されている。また、各横上筋２ｂの所定寸法下方には、各横上筋２ｂと平行を保つようにして、各横下筋２ｄが配置されている。
この状態で、縦下筋２ｃおよび横下筋２ｄは、型枠５内の下方の同一水平面上に位置しており、縦下筋２ｃおよび横下筋２ｄは、接触部分が結束される（図示せず）ことで互いに固定されている。そして、その水平面上において、縦下筋２ｃおよび横下筋２ｄは、碁盤目状に配置されている。
【００１８】
これにより、型枠５内には、縦上筋２ａおよび横上筋２ｂにより形成される碁盤目状の上側の目と、縦下筋２ｃおよび横下筋２ｄにより形成される碁盤目状の下側の目とにより区画される複数の略直方体状の小空間６が形成されている。
図３は、充填部材を示す図であり、図３（ａ）は、充填部材の平面図であり、図３（ｂ）は、図３（ａ）の矢印Ａに沿ってみた側面図であり、図３（ｃ）は、図３（ａ）の矢印Ｂに沿ってみた正面図である。なお、図３（ａ）において、紙面上下方向を「縦方向」、紙面左右方向を「横方向」とする。
【００１９】
充填部材３は、図３に示すように、複数の充填体７と、連結部材としての２本の補助筋８とを備えている。
各充填体７は、発泡ポリスチロールからなり、成形用金型により成形されている。各充填体７は、本体９と連結部１０とを一体的に連続して備えている。
本体９は、平面視において角が湾曲する略正方形状で、側面視および正面視において、上下方向より水平方向にやや長い楕円形状に形成されている。また、本体９は、各小空間６（図２参照）を上下方向に通過可能な形状に形成されている。つまり、本体９は、本体９の平面視における一辺の長さが、各小空間６の平面視における一辺の長さより短く、かつ、本体９の上下方向の長さが、各小空間６の上下方向の長さより短くなっている。
【００２０】
連結部１０は、本体９の上端部に設けられ、平面視において充填体７の略中央に配置され、平面視略矩形枠形状に形成されている。また、連結部１０は、その縦方向両側端部に、２個の受部１１が設けられている。
各受部１１は、連結部１０において横方向にわたって配置され、本体９からやや上側に突出しており、この各受部１１は、補助筋８を受入可能な正面視半円弧形状に窪むように形成されている。
【００２１】
各補助筋８は、金属からなり、長尺形状の直管で、断面視円環形状（丸パイプ形状）に形成されている。
そして、この充填部材３は、予め複数の充填体７を、接着剤を介して補助筋８に連結させることにより、組み付けられている。
接着剤は、特に制限されず、公知の接着剤が用いられ、例えば、土木用や建築用などの接着剤、具体的には、セメダイン「スーパーＸ」（セメダイン社製）などが用いられる。
【００２２】
充填部材３を組み付けるには、まず、各受部１１間の間隔と、同じ長さの間隔を隔てるように、２本の補助筋８を用意して配置する。また、別途、複数の充填体７を上記した形状に形成し、その受部１１に図示しない接着剤を塗工する。
次いで、受部１１に接着剤が塗工された各充填体７を、各充填体７が横方向に所定間隔を隔てて一列に配列されるように配置し、各充填体７の受部１１に２本の補助筋８を縦方向に並列させて連結させる。これにより、充填部材３を組み付けることができる。
【００２３】
なお、各充填体７の数は、後述するように、各小空間６に各充填体７を配置するに際して適切なものであれば、特に制限されない。
図４は、コンクリートスラブの施工時における充填部材の設置を説明するための側面図であり、図５は、鉄筋と充填部材との係合状態を示すための斜視図である。
次に、上記した充填部材３を用いて、図１に示すコンクリートスラブ１を施工する方法について、説明する。
【００２４】
この方法では、図２に示すように、まず、型枠５内に、鉄筋２を配置する。鉄筋２の配置は、上記したように、碁盤目状に複数の縦下筋２ｃおよび複数の横下筋２ｄを配置し、これらの上方に、各縦上筋２ａおよび各横上筋２ｂを配置する。
この方法では、図３（ｂ）に示すように、次いで、予め補助筋８に、接着剤を介して連結されている複数の充填体７から形成されている充填部材３を用意する。充填部材３は、上記したように、複数の充填体７を、接着剤を介して補助筋８に連結させて組み付けることにより、用意する。
【００２５】
この方法では、次いで、用意された充填部材３の複数の充填体７を、小空間６に一度に配置する。
複数の充填体７を小空間６に一度に配置するには、充填部材３を鉄筋２内に載置する。より具体的には、充填部材３が、図２に示すように、互いに対向する横上筋２ｂの間に位置して挟まれるように、かつ、充填部材３の補助筋８における各充填体７の受部１１を連結する部分との間の途中１２が、図４に示すように、側面視において、各縦上筋２ａの上方に位置して跨ぐように、充填部材３を配置する。
【００２６】
そして、この状態から、図４の矢印で示すように、充填部材３を降下させる。降下された充填部材３は、補助筋８の各途中１２が各縦上筋２ａに係合することで、各充填体７が位置決めされて配置される。
これにより、図３（ｂ）に示すように、各充填体７を、各小空間６に一度に配置する。
この方法では、次いで、補助筋８の各途中１２を各縦上筋２ａと結束する。結束は、図示しないが、公知の手法が用いられる。これにより、各充填体７が各小空間６に配置された状態で固定される。
【００２７】
この方法では、図５に示すように、次いで、上記したように、複数の充填部材３を、順次各縦上筋２ａに固定する。
この方法では、図１に示すように、次いで、型枠５にコンクリート４を打設する。コンクリート４の打設が終了し、コンクリート４が固まると、型枠５を外し、これよって、コンクリートスラブ１を施工することができる。
【００２８】
そして、この施工方法により施工されたコンクリートスラブ１では、各充填体７が、予め補助筋８に対して接着剤を介してそれぞれ連結されているので、一度に複数の充填体７を各小空間６に配置することができる。そのため、製造工程を簡略化でき、製造コストを低減することができる。
また、このコンクリートスラブ１では、補助筋８は、２本の長尺形状に形成されているので、各充填体７を各小空間において安定して配置し、固定させることができる。
【００２９】
また、補助筋８は、一方向（横方向）に配列された複数の充填体７を、各充填体７の上端部に設けられた連結部１０の受部１１において接着剤を介して連結する。そのため、補助筋８を縦上筋２ａに係合すれば、補助筋８を縦上筋２ａに係合した後、作業者が、足場として縦上筋２ａおよび横上筋２ｂや補助筋８に乗りながら、補助筋８の各途中１２を各縦上筋２ａと結束するなどの作業をしても、充填体７に接触しにくくなるので、充填体７が補助筋８から脱離しにくくなる。
【００３０】
一方、たとえ、作業者が充填体７に接触しても、各充填体７が予め接着剤を介してそれぞれ連結されているので、充填体７が補助筋８から脱落しにくくなる。その結果、確実に充填体７を所定位置に固定できながら、作業効率を向上することができる。
なお、上記説明において、各充填体７は、各充填体７が各小空間６に配置されるのに（各小空間６を上下方向に通過するのに）適した形状であれば特に制限されず、球形状やその他の形状であってもよい。
【００３１】
また、上記説明において、補助筋８は、２本であったが、その本数は特に制限されず、１本または３本以上あってもよい。
【図面の簡単な説明】
【００３２】
【図１】本発明のコンクリートスラブの一実施形態を一部切り欠いて示す斜視図である。
【図２】図１の鉄筋を示す斜視図である。
【図３】図１に示す充填部材を示す図であって、（ａ）は、充填部材の平面図、（ｂ）は、（ａ）の矢印Ａに沿ってみた側面図、（ｃ）は、（ａ）の矢印Ｂに沿ってみた正面図である。
【図４】コンクリートスラブの施工時における充填部材の設置を説明するための側面図である。
【図５】鉄筋と充填部材との係合状態を示すための斜視図である。
【符号の説明】
【００３３】
１      コンクリートスラブ
２      鉄筋
２ａ    縦上筋
２ｂ    横上筋
２ｃ    縦下筋
２ｄ    横下筋
３      充填部材
６      小空間
７      充填体
８      補助筋
【図１】
2007146550.tif 000003
【図２】
2007146550.tif 000004
【図３】
2007146550.tif 000005
【図４】
2007146550.tif 000006
【図５】
2007146550.tif 000007